(57)【要約】【課題】従来型テープカッターに対してロールテープをカットする毎にロールテープの先端を折り曲げて非粘着部を形成する機能を付加できる着脱式テープカッターを提供する。【解決手段】ロールテープ用テープカッターのカット部に着脱可能に取り付けられる着脱式テープカッターにおいて、カッター本体と該カッター本体をロールテープ用テープカッターのカット部に装着するための固定具とから構成し、カッター本体を、ロールテープ用テープカッターから引き出されるテープを位置決めするテープ位置決め具と、テープ位置決め具に隣接した状態で刃先部がテープ位置決め具より突出する移動可能なカッター刃と、カッター刃をテープ位置決め具に対して進退可能に支持するガイド部材と、カッター刃をテープ位置決め具側に弾性的に押圧する押圧部材とから構成する。【選択図】図１
2014114122.tif 000002
【特許請求の範囲】
【請求項１】
ロールテープ用テープカッターのカット部に着脱可能に取り付けられる着脱式テープカッターであって、カッター本体と前記カッター本体を前記ロールテープ用テープカッターのカット部に装着するための固定具とを有し、前記カッター本体が、前記ロールテープ用テープカッターから引き出されるテープを位置決めするテープ位置決め具と、前記テープ位置決め具に隣接した状態で刃先部が前記テープ位置決め具より突出する移動可能なカッター刃と、前記カッター刃を前記テープ位置決め具に対して進退可能に支持するガイド部材と、前記カッター刃を前記テープ位置決め具側に弾性的に押圧する押圧部材とを備えることを特徴とする着脱式テープカッター。
【請求項２】
ロールテープ用テープカッターのカット部に着脱可能に取り付けられる着脱式テープカッターであって、カッター本体と前記カッター本体を前記ロールテープ用テープカッターのカット部に装着するための固定具とを有し、前記カッター本体が、前記ロールテープ用テープカッターから引き出されるテープを位置決めするテープ位置決め具と、前記テープ位置決め具に隣接した状態で上端部が前記テープ位置決め具より突出する移動可能なテープ支持体と、前記テープ支持体を前記テープ位置決め具に対して進退可能に支持するガイド部材と、前記テープ支持体を前記テープ位置決め具側に弾性的に押圧する押圧部材と、前記テープ支持体よりも前記テープの引き出し方向側に配置されるカッター刃とを備えることを特徴とする着脱式テープカッター。
【請求項３】
前記固定具が、前記ロールテープ用テープカッターのカット部を上方から挟むことができるように開口部下向きのコ字状の固定部を有しており、前記固定部は、前記カット部の前面に接触する前板と、前記カット部の後面に接触する後板と、前記前板および前記後板の間に架け渡される天板とから構成されており、前記天板と前記後板とで形成される屈曲箇所が所定の外力を加えることによって屈曲角度を調節できる請求項１又は２のいずれかに記載の着脱式テープカッター。
【請求項４】
前記天板と前記後板とで形成される前記屈曲箇所に開口が形成されている請求項３記載の着脱式テープカッター。
【発明の詳細な説明】
【技術分野】
【０００１】
本発明は、着脱式テープカッターに関するものである。
【背景技術】
【０００２】
周知のとおり、図９に示すように、従来の一般的なテープカッター（以下、「従来型テープカッター」という）１００は、ロールテープを回転可能に支持する支持台１０２と、支持台１０２のロールテープ（図示せず）よりも前方に位置付けられて上方へ向けて突出するカッター刃１０５とを有しているものである。しかし、従来型テープカッター１００でカットしたカットテープを加工せずに被貼着物に貼り付けると、カットテープの全体が被貼着物に貼り付いてしまい容易に剥がすことができなくなるという問題点があった。
【０００３】
前記問題を解決するために本発明者は、特許文献１に開示された巻テープを回転可能に支持するカッター台と、カッター台に設けられ、巻テープからのテープを位置決めするテープ位置決め具と、テープ位置決め具に隣接した状態で刃先がテープ位置決め具より突出する移動可能なカッター刃と、カッター台に支持され、カッター刃をテープ位置決め具に対して進退可能に支持するガイド部材と、ガイド部材に取付けられ、カッター刃をテープ位置決め具側に付勢する付勢部材とを備えるテープカッターを開発した。
【０００４】
特許文献１に開示されたテープカッターによれば、ロールテープをカットする毎にロールテープの先端が折り曲げられて非接着部が形成されるため、被貼着物にカットテープを貼り付けた際に、カットテープの一端に形成された非接着部が被貼着部に張り付かず、非接着部を摘むことによって容易に剥がすことができる。
【先行技術文献】
【特許文献】
【０００５】
【特許文献１】特開平９−１０００６１号公報
【発明の概要】
【発明が解決しようとする課題】
【０００６】
ところが、ユーザーの多くは、従来型テープカッターを所有しており、当該従来型テープカッターに対して前記特許文献１に開示されたテープカッターが有する機能を付加することができないかという要望が数多く寄せられた。
【０００７】
そこで、本発明者は、従来型テープカッターに対してロールテープをカットする毎にロールテープの先端を折り曲げて非粘着部を形成する機能を付加できる着脱式テープカッターを得ることを技術的課題として、その具現化をはかるべく、試行錯誤的に試作・実験を重ねた。その結果、ロールテープ用テープカッターのカット部に着脱可能に取り付けられる着脱式テープカッターであって、カッター本体と該カッター本体をロールテープ用テープカッターのカット部に装着するための固定具とを有し、カッター本体が、ロールテープ用テープカッターから引き出されるテープを位置決めするテープ位置決め具と、テープ位置決め具に隣接した状態で刃先部がテープ位置決め具より突出する移動可能なカッター刃と、カッター刃をテープ位置決め具に対して進退可能に支持するガイド部材と、カッター刃をテープ位置決め具側に弾性的に押圧する押圧部材とから構成すれば、従来型テープカッターに対してロールテープをカットする毎にロールテープの先端を折り曲げて非粘着部を形成する機能を付加できるという刮目すべき知見を得、前記技術的課題を達成したものである。
【課題を解決するための手段】
【０００８】
前記技術的課題は、次の通りの本発明によって解決できる。
【０００９】
すなわち、本発明に係る着脱式テープカッターは、ロールテープ用テープカッターのカット部に着脱可能に取り付けられる着脱式テープカッターであって、カッター本体と該カッター本体をロールテープ用テープカッターのカット部に装着するための固定具とを有し、カッター本体が、ロールテープ用テープカッターから引き出されるテープを位置決めするテープ位置決め具と、テープ位置決め具に隣接した状態で刃先部がテープ位置決め具より突出する移動可能なカッター刃と、カッター刃をテープ位置決め具に対して進退可能に支持するガイド部材と、カッター刃をテープ位置決め具側に弾性的に押圧する押圧部材とを備えるものである。
【００１０】
また、本発明は、前記着脱式テープカッターであって、カッター本体と該カッター本体をロールテープ用テープカッターのカット部に装着するための固定具とを有し、カッター本体が、ロールテープ用テープカッターから引き出されるテープを位置決めするテープ位置決め具と、テープ位置決め具に隣接した状態で上端部がテープ位置決め具より突出する移動可能なテープ支持体と、テープ支持体をテープ位置決め具に対して進退可能に支持するガイド部材と、テープ支持体をテープ位置決め具側に弾性的に押圧する押圧部材と、テープ支持体よりもテープの引き出し方向側に配置されるカッター刃とを備えるものである。
【００１１】
また、本発明は、前記いずれかの着脱式テープカッターにおいて、固定具が、ロールテープ用テープカッターのカット部を上方から挟むことができるように、開口部下向きのコ字状の固定部を有しており、固定部は、カット部の前面に接触する前板と、カット部の後面に接触する後板と、前板および後板の間に架け渡される天板とから構成されており、天板と後板とで形成される屈曲箇所が所定の外力を加えることによって屈曲角度を調節できるものである。
【００１２】
また、本発明は、前記着脱式テープカッターにおいて、天板と後板とで形成される屈曲箇所に開口が形成されているものである。
【発明の効果】
【００１３】
ロールテープ用テープカッターのカット部に着脱可能に取り付けられる着脱式テープカッターにおいて、カッター本体と該カッター本体をロールテープ用テープカッターのカット部に装着するための固定具とから構成し、カッター本体を、ロールテープ用テープカッターから引き出されるテープを位置決めするテープ位置決め具と、テープ位置決め具に隣接した状態で刃先部がテープ位置決め具より突出する移動可能なカッター刃と、カッター刃をテープ位置決め具に対して進退可能に支持するガイド部材と、カッター刃をテープ位置決め具側に弾性的に押圧する押圧部材とから構成すれば、従来型テープカッターに対してロールテープをカットする毎にロールテープの先端を折り曲げて非粘着部を形成する機能を付加できる。また、固定具を、ロールテープ用テープカッターのカット部を上方から挟むことができるように開口部下向きのコ字状の固定部を有するように構成し、固定部を、カット部の前面に接触する前板と、カット部の後面に接触する後板と、前板および後板の間に架け渡される天板とから構成し、天板と後板とで形成される屈曲箇所が所定の外力を加えることによって屈曲角度を調節できるようにしたので、カット部に対して容易に着脱することができ、かつ、カット部の形状に合わせて固定することができる。
【００１４】
従って、本発明の産業上利用性は非常に高いといえる。
【図面の簡単な説明】
【００１５】
【図１】実施の形態１に係る着脱式テープカッターを示した斜視図である。
【図２】図１に示す着脱式テープカッターを示したＡ−Ａ断面図である。
【図３】（ａ）〜（ｃ）図１に示す着脱式テープカッターの使用態様及び動作を示した説明図である。
【図４】実施の形態２に係る着脱式テープカッターのカッター本体を示した断面図である。
【図５】図４に示す着脱式テープカッターのカッター刃とガイド軸とを示した斜視図である。
【図６】（ａ）〜（ｃ）図４に示す着脱式テープカッターの使用態様及び動作を示した説明図である。
【図７】実施の形態３に係る着脱式テープカッターのカッター本体を示した断面図である。
【図８】（ａ）〜（ｃ）図７に示す着脱式テープカッターの使用態様及び動作を示した説明図である。
【図９】従来型テープカッターを示した斜視図である。
【発明を実施するための形態】
【００１６】
以下、本発明の実施の形態を説明する。
【００１７】
実施の形態１．
【００１８】
図１に示す本実施の形態に係る着脱式テープカッター１は、図９に示す、従来型テープカッター１００（ロールテープ用テープカッター）に着脱自在に取り付けられるものである。なお、従来型テープカッター１００は、ロールテープが固定される回転体１０１と、回転体１０１を支持する支持台１０２とから構成されている。支持台１０２には、長手方向へ走る溝状の支持部１０３が形成されており、支持部１０３には、回転体１０１が回転可能に支持される。また、支持台１０２には、支持部１０３の前方側に回転体１０１から引き伸ばされたロールテープの先端を切り取るためのカット部１０４が立ち上がっており、カット部１０４の上面には、カッター刃１０５が上方へと突出している。なお、着脱式テープカッター１は、従来型テープカッター１００のカット部１０４に取り付けられる。以下において、回転体１０１からロールテープが引き出される方向を前方とする。
【００１９】
着脱式テープカッター１は、図１に示すように、カッター本体２と、カッター本体２に取り付けられる固定具３とから構成されており、固定具３を介して従来型テープカッター１００のカット部１０４に着脱可能に取り付けられる。
【００２０】
カッター本体２は、正面視凹状に形成された台座部４を有しており、台座部４は、底板５の両側辺から垂直に立ち上がる両側板６，６と、底板５の前端部から立ち上がって両側板６，６に架け渡される断面台形状の規制部７とを有している。また、台座部４の両側板６，６には、図２に示すように、上側後方に位置するようにテープ位置決め軸８（テープ位置決め具）が架け渡されており、下側であって規制部７とテープ位置決め軸８との間に位置するように回転軸９（ガイド部材）が架け渡されており、回転軸９には、カッター刃１０が回転可能に軸止めされている。
【００２１】
カッター刃１０は、下向き凸状に形成されており、幅広の上端部を鋸刃状に成形して刃先部１１が形成されており、幅狭の下端部を回転軸９に巻き付くように成形して軸巻部１２が形成されている。そして、カッター刃１０は、回転軸９を中心として前後方向に回転運動し、カッター刃１０の回転軸９に対する前方側への回転は、カッター刃１０よりも前方に位置付けられる規制部７によって規制されており、カッター刃１０の回転軸９に対する後方側への回転は、カッター刃１０よりも後方に位置付けられるテープ位置決め軸８によって規制されている。なお、カッター刃１０の刃先部１１は、カッター刃１０がテープ位置決め軸８に接触した状態において該テープ位置決め軸８よりも僅かに上方へ突出するようになっている。また、カッター刃１０には、刃先部１１に沿って後面から僅かな突起１３が突出している。
【００２２】
カッター刃１０の軸巻部１２が巻き付けられた回転軸９には、軸巻部１２が巻き付いた部分を避けるように両端側にねじりバネ１４（押圧部材）の螺旋部１５が嵌め込まれている。そして、ねじりバネ１４は、螺旋部１５から突出する一端１６が規制部７の後面を前方へ押圧するように配置されており、螺旋部１５から後方へ突出する他端１７がカッター刃１０の前面を後方へ押圧するように配置されている。これにより、カッター刃１０は、ねじりバネ１４によって常に後方へ押圧された状態となっている。
【００２３】
固定具３は、カッター本体２の台座部４の底板５にネジ止めされる支持板１８と、支持板１８の後端に一体的に連結されてカッター本体２の後方に位置付けられる固定部１９とから構成されている。固定部１９は、従来型テープカッター１００のカット部１０４を上方から挟むことができるように側面視開口部下向きのコ字状に形成されており、カット部１０４の前面に接触する前板２０と、カット部１０４の後面に接触する後板２１と、両板２０，２１の間に架け渡される天板２２とから構成されている。そして、固定部１９は、前板２０に比べて後板２１の方が長く形成されており、また、天板２２と後板２１とで形成される屈曲箇所に開口２３（図１参照）が形成されている。なお、天板２２と後板２１とで形成される屈曲箇所は所定の外力を加えることによって屈曲角度を調節できるようになっている。
【００２４】
次に、本実施の形態に係る着脱式テープカッター１の使用態様を説明する。
【００２５】
従来型テープカッター１００のカット部１０４に着脱式テープカッターを装着する場合には、図３の（ａ）に示すように、着脱式テープカッター１の固定部１９を構成する前板２０と後板２１とでカット部１０４を前後方向から挟み込み、天板２２をカット部１０４の上面に接触させる。なお、カット部１０４の形状に合わせて天板２２と後板２１との屈曲角度を調節することができる。また、後板２１を粘着テープなどを使用してカット部１０４に接着してもよい。
【００２６】
次に、本実施の形態に係る着脱式テープカッター１のカッター本体２の動作を説明する。
【００２７】
先ず、図３の（ａ）に示すように、従来型テープカッター１００の回転体１０１に固定されたロールテープからテープ１０５の先端を前方へ引き出すと、図３の（ｂ）に示すように、カッター刃１０の刃先部１１がテープ１０５の接着面（図３中、テープ１０５の下面）に付着して引っ張られ、テープ１０５の引き出しに伴ってカッター刃１０がねじりバネ１４の弾発力に抗して前方へ回転する。なお、カッター刃１０は、所定角度前方へ回転すると、規制部７に接触して回転が規制されて停止する。
【００２８】
次に、図３の（ｂ）に示すように、テープ１０５の先端を下方へ押え付けると、テープ１０５がカッター刃１０によって切断され、図３の（ｃ）に示すように、カッター刃１０がねじりバネ１４の弾発力によって後方へ回転する。なお、カッター刃１０は、所定角度後方へ回転すると、テープ位置決め軸８に接触して回転が規制されて停止する。この時、テープ１０５のテープ位置決め軸８に接触する部分が該テープ位置決め軸８に付着し、かつ、テープ１０５のカッター刃１０の刃先部１１に接触する部分が該刃先部１１に付着しているため、カッター刃１０の後方への回転に伴って、テープ１０５のテープ位置決め軸８に付着した部分が刃先部１１に付着した部分へ引き寄せされ、両部分の間に位置するテープ先端部１０６がカール状に撓み、さらに、カッター刃１０がテープ位置決め軸８に接触した際に、慣性力によってテープ１０５のカッター刃１０の刃先部１１に接着していた部分が該刃先部１１から剥がれて後方へ移動してテープ１０５のテープ位置決め軸８に接触する部分の上方に貼り付き、テープ先端部１０６がループ状に成形される。なお、カッター刃１０の後面に設けられた突起１３がテープ先端部１０６に接触することにより、テープ１０５のテープ位置決め軸８に付着した部分が刃先部１１に付着した部分へ引き寄せされる際に、テープ先端部１０６が下方へ撓むことが阻止されるため、テープ先端部１０６は必ず上方へカール状に撓む。
【００２９】
そして、次回以降は、テープ１０５をカットする際に、カール状に撓んだテープ先端部１０６を摘むことにより、テープ１０５の先端部分に非接着部が形成される。
【００３０】
なお、本実施の形態においては、着脱式テープカッター１を従来型テープカッター１００のカット部１０４に固定する際に、固定部１９を構成する前板２０と後板２１とでカット部１０４を挟み込んで固定したが、カット部１０４の上面に固定部１９の後板２１を差し込むことができるような隙間が存在する場合には、当該隙間に後板２１を差し込んで固定してもよい。
【００３１】
実施の形態２．
【００３２】
本実施の形態は前記実施の形態１におけるカッター本体の変形例である。なお、図４〜図６において、図１〜図３と同一符号は、同一又は相当部分を示している。
【００３３】
カッター本体２は、図４に示すように、正面視凹状に形成された台座部４を有しており、台座部４は、底板５の両側辺から垂直に立ち上がる両側板６，６と、底板５の前端部から立ち上がって後方へと伸びる一対のガイド軸２４，２４（ガイド部材）とを有しており、そして、台座部４の両側板６，６には、上側後方に位置するようにテープ位置決め軸８（テープ位置決め具）が架け渡されている。
【００３４】
カッター刃２５は、図５に示すように、矩形状に形成されており、上端部を鋸刃状に成形して刃先部１１が形成されており、下端部に一対のガイド軸２４，２４に通される一対の通孔２６，２６が形成されている。そして、カッター刃２５は、ガイド軸２４に沿って前後方向に往復運動し、カッター刃２５のガイド軸２４に対する前方側への移動は、ガイド軸２４に前部によって規制されており、カッター刃２５のガイド軸２４に対する後方側への移動は、カッター刃２５よりも後方に位置付けられるテープ位置決め軸８によって規制されている。なお、カッター刃２５の刃先部１１は、カッター刃２５がテープ位置決め軸８に接触した状態において該テープ位置決め軸８よりも僅かに上方へ突出するようになっている。また、カッター刃２５には、刃先部１１に沿って後方へと飛び出す板バネ２７が形成されている。
【００３５】
ガイド軸２４には、カッター刃２５よりも前方側に位置するようにコイルバネ２８（押圧部材）が通されている。これにより、カッター刃２５は、コイルバネ２８によって常に後方へ押圧された状態となっている。
【００３６】
次に、本実施の形態に係る着脱式テープカッター１のカッター本体２の動作を説明する。
【００３７】
先ず、図６の（ａ）に示すように、従来型テープカッター１００の回転体１０１に固定されたロールテープからテープ１０５の先端を、矢印に示すように前方へ引き出すと、図６の（ｂ）に示すように、カッター刃２５の刃先部１１がテープ１０５の接着面に付着して引っ張られ、テープ１０５の引き出しに伴ってカッター刃２５がコイルバネ２８の弾発力に抗して前方へ移動する。なお、カッター刃２５は、所定距離前方へ移動すると、ガイド軸２４の前部と該前部へ圧縮されたコイルバネ２８によって移動が規制されて停止する。
【００３８】
次に、図６の（ｂ）に示すように、テープ１０５の先端を、矢印に示すように下方へ押え付けると、テープ１０５がカッター刃２５によって切断され、図６の（ｃ）に示すように、カッター刃２５がコイルバネ２８の弾発力によって後方へ移動する。なお、カッター刃２５は、所定距離後方へ移動すると、テープ位置決め軸８に接触して回転が規制されて停止する。この時、テープ１０５のテープ位置決め軸８に接触する部分が該テープ位置決め軸８に付着し、かつ、テープ１０５のカッター刃２５の刃先部１１に接触する部分が該刃先部１１に付着しているため、カッター刃２５の後方への移動に伴って、テープ１０５のテープ位置決め軸８に付着した部分が刃先部１１に付着した部分へ引き寄せされ、両部分の間に位置するテープ先端部１０６がカール状に撓み、さらに、カッター刃２５がテープ位置決め軸８に接触した際に、慣性力によってテープ１０５のカッター刃２５の刃先部１１に接着していた部分が該刃先部１１から剥がれて後方へ移動してテープ１０５のテープ位置決め軸８に接触する部分の上方に貼り付き、テープ先端部１０６がループ状に成形される。なお、カッター刃２５の後面に設けられた板バネ２７がテープ先端部１０６に接触することにより、テープ１０５のテープ位置決め軸８に付着した部分が刃先部１１に付着した部分へ引き寄せされる際に、テープ先端部１０６が下方へ撓むことが阻止されるため、テープ先端部１０６は必ず上方へカール状に撓む。
【００３９】
そして、次回以降は、テープ１０５をカットする際に、カール状に撓んだテープ先端部１０６を摘むことにより、テープ１０５の先端部分によって非接着部が形成される。
【００４０】
実施の形態３．
【００４１】
本実施の形態は前記実施の形態１におけるカッター本体の変形例である。なお、図７及び図８において、図１〜図３と同一符号は、同一又は相当部分を示している。
【００４２】
カッター本体２は、図７に示すように、正面視凹状に形成された台座部４を有しており、台座部４は、底板５の両側辺から垂直に立ち上がる両側板６，６と、底板５の前端部から立ち上がって両側板６，６に架け渡される断面台形状の規制部７とを有している。また、台座部４の両側板６，６には、規制部７の上方に位置するようにカッター刃２９が架け渡されており、上側後方に位置するようにテープ位置決め軸８（テープ位置決め具）が架け渡されており、下側であって規制部７とテープ位置決め軸８との間に位置するように回転軸９（ガイド部材）が架け渡されており、回転軸９には、テープ支持体３０が回転可能に軸止めされている。
【００４３】
テープ支持体３０は、下向き凸状に形成されており、幅広の上端部を後方に向かってＬ字状に成形して接着部３１が形成されており、幅狭の下端部を回転軸９に巻き付くように成形して軸巻部３２が形成されている。そして、テープ支持体３０は、回転軸９を中心として前後方向に回転運動し、テープ支持体３０の回転軸９に対する前方側への回転は、テープ支持体３０よりも前方に位置付けられる規制部７によって規制されており、テープ支持体３０の回転軸９に対する後方側への回転は、テープ支持体３０よりも後方に位置付けられるテープ位置決め軸８によって規制されている。
【００４４】
テープ支持体３０の軸巻部３２が巻き付けられた回転軸９には、軸巻部３２が巻き付いた部分を避けるように両端側にねじりバネ１４（押圧部材）の螺旋部１５が嵌め込まれている。そして、ねじりバネ１４は、螺旋部１５から突出する一端１６が規制部７の後面を前方へ押圧するように配置されており、螺旋部１５から後方へ突出する他端１７がテープ支持体３０の前面を後方へ押圧するように配置されている。これにより、テープ支持体３０は、ねじりバネ１４によって常に後方へ押圧された状態となっている。
【００４５】
次に、本実施の形態に係る着脱式テープカッター１のカッター本体２の動作を説明する。
【００４６】
先ず、図８の（ａ）に示すように、従来型テープカッター１００の回転体１０１に固定されたロールテープからテープ１０５の先端を、矢印に示すように前方へ引き出すと、図８の（ｂ）に示すように、テープ支持体３０の接着部３１がテープ１０５の接着面に付着して引っ張られ、テープ１０５の引き出しに伴ってテープ支持体３０がねじりバネ１４の弾発力に抗して前方へ回転する。なお、テープ支持体３０は、所定角度前方へ回転すると、規制部７に接触して回転が規制されて停止する。
【００４７】
次に、図８の（ｂ）に示すように、テープ１０５の先端を、矢印に示すように下方へ押え付けると、テープ１０５がカッター刃２９によって切断され、図８の（ｃ）に示すように、テープ支持体３０がねじりバネ１４の弾発力によって後方へ回転する。なお、テープ支持体３０は、所定角度後方へ回転すると、テープ位置決め軸８に接触して回転が規制されて停止する。この時、テープ１０５のテープ位置決め軸８に接触する部分が該テープ位置決め軸８に付着し、かつ、テープ１０５のテープ支持体３０の接着部３１に接触する部分が該接着部３１に付着しているため、テープ支持体３０の後方への回転に伴って、テープ１０５のテープ位置決め軸８に付着した部分が接着部３１に付着した部分へ引き寄せされ、両部分の間に位置するテープ先端部１０６がカール状に撓み、さらに、テープ支持体３０がテープ位置決め軸８に接触した際に、慣性力によってテープ１０５のテープ支持体３０の接着部３１に接着していた部分が該接着部３１から剥がれて後方へ移動してテープ１０５のテープ位置決め軸８に接触する部分の上方に貼り付き、テープ先端部１０６がループ状に成形される。
【００４８】
そして、次回以降は、テープ１０５をカットする際に、カール状に撓んだテープ先端部１０６を摘むことにより、テープ１０５の先端部分に非接着部が形成される。
【００４９】
なお、前記各実施の形態においては、テープ位置決め具として軸状のものを使用したが、これに限定されることなく、板状やその他の形状のものであってもよい。
【符号の説明】
【００５０】
１  着脱式テープカッター
２  カッター本体
３  固定具
４  台座部
５  底板
６  側板
７  規制部
８  テープ位置決め軸
９  回転軸
１０  カッター刃
１１  刃先部
１２  軸巻部
１３  突起
１４  ねじりバネ
１５  螺旋部
１６  一端
１７  他端
１８  支持板
１９  固定部
２０  前板
２１  後板
２２  天板
２３  開口
２４  ガイド軸
２５  カッター刃
２６  通孔
２７  板バネ
２８  コイルバネ
２９  カッター刃
３０  テープ支持体
３１  接着部
３２  軸巻部
【図１】
2014114122.tif 000003
【図２】
2014114122.tif 000004
【図３】
2014114122.tif 000005
【図４】
2014114122.tif 000006
【図５】
2014114122.tif 000007
【図６】
2014114122.tif 000008
【図７】
2014114122.tif 000009
【図８】
2014114122.tif 000010
【図９】
2014114122.tif 000011